(57)【要約】【課題】超音波内視鏡装置の不具合状況を簡単に判別する。【解決手段】電源チェック部１１による超音波観測装置本体５から超音波内視鏡３への電源チェック、送信信号チェック部１３による超音波観測装置本体５から超音波内視鏡３への送信信号Ｔｘ及び３Ｄ駆動用クロックのチェック、エンコーダチェック部１４によるＰｈａｓｅ  ＡとＰｈａｓｅ  Ｚのチェック、コードチェック部１５による超音波内視鏡３から超音波観測装置本体５へのスキャナコードと周波数コードのチェック、位置センサ信号チェック部１９による超音波内視鏡３から超音波観測装置本体５への位置センサ信号のチェック等の検査を自動的に実行する。【選択図】図２
2006191988.tif 000002
【特許請求の範囲】
【請求項１】
超音波観測装置本体を接続する観測装置接続部と、
超音波内視鏡を接続する超音波内視鏡接続部と、
前記超音波観測装置本体からの第１の信号を検査する観測装置検査手段と、
前記超音波内視鏡からの第２の信号を検査する超音波内視鏡検査手段と
を備えたことを特徴とする超音波内視鏡装置の検査装置。
【請求項２】
前記超音波内視鏡への電力を供給する電力供給手段
を備えたことを特徴とする請求項１に記載の超音波内視鏡装置の検査装置。
【請求項３】
前記観測装置検査手段の検査結果及び前記超音波内視鏡検査手段の検査結果を表示する検査結果表示手段
を備えたことを特徴とする請求項１または２に記載の超音波内視鏡装置の検査装置。
【請求項４】
前記第１の信号及び前記第２の信号の所定の信号の疑似信号を発生する疑似信号発生手段と、
前記所定の信号を前記疑似信号に切り替えて出力する切り替え手段と
を備えたことを特徴とする請求項１、２または３のいずれか１つに記載の超音波内視鏡装置の検査装置。
【請求項５】
前記観測装置検査手段あるいは超音波内視鏡検査手段による検査結果に基づいて、前記疑似信号発生手段が前記疑似信号を発生すると共に前記切り替え手段が前記所定の信号を前記疑似信号に切り替えて出力する
を備えたことを特徴とする請求項４に記載の超音波内視鏡装置の検査装置。
【発明の詳細な説明】
【技術分野】
【０００１】
本発明は、超音波内視鏡装置の本体装置及び超音波内視鏡の不具合を検査する超音波内視鏡装置の検査装置に関する。
【背景技術】
【０００２】
近年、細長の挿入部の先端に超音波送受素子を配置した超音波内視鏡を用い、体腔内を超音波画像により生体内部の組織を観察することのできる超音波内視鏡装置が開発されている。
【０００３】
この超音波内視鏡装置では、超音波内視鏡により挿入部の先端に設けた超音波送受素子を進退させながらスパイラス走査し超音波を送受し、超音波観測装置本体にて画像処理を行うことで、生体内部の組織の超音波画像の観察を可能とする。
【発明の開示】
【発明が解決しようとする課題】
【０００４】
しかしながら、超音波内視鏡装置は、特有の故障モードがあるために、不具合の原因が超音波観測装置本体にあるのか、超音波内視鏡にあるのかを切り分けて検査する必要があるが、例えば超音波内視鏡装置が病院等の納入先において不具合が発生した場合、納入先にて超音波観測装置本体が故障しているか、あるいは超音波内視鏡が故障しているかを判断する必要がある。
【０００５】
従来の故障判断方法では、正常な超音波観測装置本体及び超音波内視鏡を納入先に持ち込み、不具合が発生している超音波内視鏡と正常な超音波観測装置本体を接続し、また正常な超音波内視鏡と不具合が発生している超音波観測装置本体を接続することで、超音波観測装置本体が故障しているか、あるいは超音波内視鏡が故障しているかを判断しており、正常な超音波観測装置本体及び超音波内視鏡を納入先に持ち込まなければならなかった。
【０００６】
また、故障判断方法の別の方法としては、オシロスコープ等の信号検査装置等によリ、不具合が発生している超音波内視鏡装置における信号を１つ１つチェックすることが考えられるが、納入先での故障確認が必ずしも可能とは限らず、実際には不具合が発生しているこれら超音波内視鏡と超音波観測装置本体全てを工場（あるいはサービスセンタ）等に持ち帰る必要があった。
【０００７】
本発明は、上記事情に鑑みてなされたものであり、超音波内視鏡装置の不具合状況を簡単に判別することのできる超音波内視鏡装置の検査装置を提供することを目的としている。
【課題を解決するための手段】
【０００８】
本発明の超音波内視鏡装置の検査装置は、
超音波観測装置本体を接続する観測装置接続部と、
超音波内視鏡を接続する超音波内視鏡接続部と、
前記超音波観測装置本体からの第１の信号を検査する観測装置検査手段と、
前記超音波内視鏡からの第２の信号を検査する超音波内視鏡検査手段と
を備えて構成される。
【発明の効果】
【０００９】
本発明によれば、超音波内視鏡装置の不具合状況を簡単に判別することができるという効果がある。
【発明を実施するための最良の形態】
【００１０】
以下、図面を参照しながら本発明の実施例について述べる。
【実施例１】
【００１１】
図１ないし図３は本発明の実施例１に係わり、図１は超音波内視鏡装置の検査装置の接続状態を示すブロック図、図２は図１の検査装置の検査回路を示すブロック図、図３は図１の検査装置のＬＥＤ表示パネルの構成を示す図である。
【００１２】
図１に示すように、本実施例の超音波内視鏡装置の検査装置１は、接続コネクタの形状が異なる超音波内視鏡及び超音波観測装置本体が接続可能に構成されている。
【００１３】
すなわち、超音波内視鏡装置の検査装置１には、例えば丸型コネクタ２ａを基端に有する第１の超音波内視鏡３ａ及び該第１の超音波内視鏡３ａと接続される丸型コネクタ受け４ａを有する第１の超音波観測装置本体５ａが接続可能な丸型コネクタ受け部６ａ及び丸型コネクタ部７ａを有すると共に、例えば角型コネクタ２ｂを基端に有する第２の超音波内視鏡３ｂ及び該第２の超音波内視鏡３ｂと接続される角型コネクタ受け４ｂを有する第２の超音波観測装置本体５ｂが接続可能な角型コネクタ受け部６ｂ及び角型コネクタ部７ｂを有している。
【００１４】
また、超音波内視鏡装置の検査装置１は、接続された超音波内視鏡及び超音波観測装置本体の信号状態等を検査する検査回路８を内部に有し、検査回路８による検査結果を表示する複数のＬＥＤ等を備えたＬＥＤ表示パネル９を装置全面に設けている。
【００１５】
検査回路８は、図２に示すように、第１の超音波観測装置本体５ａあるいは第２の超音波観測装置本体５ｂ（以下、超音波観測装置本体５と記す）から第１の超音波内視鏡３ａあるいは第２の超音波内視鏡３ｂ（以下、超音波内視鏡３と記す）への電源をチェックする電源チェック部１１と、超音波内視鏡３に電力を供給する電源発生部１２とを備えている。そして、電源チェック部１１でチェックされたチェック結果がＬＥＤ表示パネル９に出力されるようになっている。
【００１６】
また、検査回路８は、超音波観測装置本体５から超音波内視鏡３に送信される、超音波内視鏡３の先端に内蔵された超音波送受素子（図示せず）での超音波パルスの発振タイミングを規定する送信信号Ｔｘと超音波送受素子をスパイラル駆動するための３Ｄ駆動用クロック（３Ｄ  ＣＬＫ）とをチェックする送信信号チェック部１３と、超音波内視鏡３から超音波観測装置本体５に出力されるエンコーダ信号（超音波エコー信号）であるＰｈａｓｅ  Ａ及びＰｈａｓｅ  Ｚをチェックするエンコーダチェック部１４を有しており、各信号の有無及び出力レベルをチェックし、チェック結果をＬＥＤ表示パネル９に出力するようになっている。
【００１７】
なお、送信信号Ｔｘと３Ｄ駆動用クロック（３Ｄ  ＣＬＫ）はスルーで超音波観測装置本体５から超音波内視鏡３に出力されると共に、Ｐｈａｓｅ  Ａ及びＰｈａｓｅ  Ｚはスルーで超音波内視鏡３から超音波観測装置本体５に出力される。
【００１８】
また、検査回路８は、超音波内視鏡３から超音波観測装置本体５に出力されるスキャナコード及び周波数コードをチェックするコードチェック部１５を有し、超音波内視鏡３が超音波走査（スキャン）する走査モード及び超音波内視鏡３から発生する超音波の周波数をチェックし、チェック結果をＬＥＤ表示パネル９に出力するようになっている。
【００１９】
なお、スキャナコード及び周波数コードは、検査装置８に設けられているスイッチ１６により切り替えスイッチ部１７を制御することで、スルーで超音波内視鏡３から超音波観測装置本体５に出力するか、疑似信号発生回路１８より発生させた疑似のスキャナコード及び周波数コードを超音波観測装置本体５に出力するかの選択が可能に構成されている。
【００２０】
さらに、検査回路８は、超音波送受素子の進退駆動時の位置情報を検出する超音波内視鏡３の位置センサ（図示せず）からの位置センサ信号をチェックする位置センサ信号チェック部１９を有し、チェック結果をＬＥＤ表示パネル９に出力するようになっている。
【００２１】
ＬＥＤ表示パネル９は、図３に示すように、超音波観測装置本体５側のチェック結果を表示する電源チェック部１１による電源用ＬＥＤ表示部２１、送信信号チェック部１３による送信信号用ＬＥＤ表示部２２と、超音波内視鏡３側のチェック結果を表示するエンコーダチェック部１４によるエンコーダ用ＬＥＤ表示部２３、コードチェック部１５によるスキャナコード用ＬＥＤ表示部２４及び周波数コード用ＬＥＤ表示部２５、位置センサ信号チェック部１９による位置センサ信号用ＬＥＤ表示部２６とを備えている。
【００２２】
このように構成された本実施例では、例えば搬入先である病院等で超音波内視鏡３あるいは超音波観測装置本体５に不具合が発生すると、搬入先にて検査装置８に超音波観測装置本体５及び超音波内視鏡３を接続し、以下の（１）から（５）の検査を実施する。
【００２３】
すなわち、
（１）電源チェック部１１による超音波観測装置本体５から超音波内視鏡３への電源チェック及び電源用ＬＥＤ表示部２１でのチェック結果の表示
（２）送信信号チェック部１３による超音波観測装置本体５から超音波内視鏡３への送信信号Ｔｘ及び３Ｄ駆動用クロック（３Ｄ  ＣＬＫ）のチェック及び送信信号用ＬＥＤ表示部２２でのチェック結果の表示
（３）エンコーダチェック部１４によるＰｈａｓｅ  ＡとＰｈａｓｅ  Ｚのチェック及びエンコーダ用ＬＥＤ表示部２２でのチェック結果の表示
（４）コードチェック部１５による超音波内視鏡３から超音波観測装置本体５へのスキャナコードと周波数コードのチェック及びスキャナコード用ＬＥＤ表示部２３、周波数コード用ＬＥＤ表示部２４でのチェック結果の表示
（５）位置センサ信号チェック部１９による超音波内視鏡３から超音波観測装置本体５への位置センサ信号のチェック及び位置センサ信号用ＬＥＤ表示部２５でのチェック結果の表示
等の検査が自動的に実行される。
【００２４】
このような検査を実施することで、搬入先に検査装置８を持ち込み、超音波観測装置本体５及び超音波内視鏡３を接続するだけで、超音波観測装置本体５あるいは超音波内視鏡３のいずれに不具合があり、かつ不具合状況を信号レベルでチェックでき、チェック結果をＬＥＤ表示パネル９に表示することができるので、搬入先で容易に不具合状況を把握することができる。
【実施例２】
【００２５】
図４は本発明の実施例２に係る検査装置の検査回路を示すブロック図である。
【００２６】
実施例２は、実施例１とほとんど同じであるので、異なる点のみ説明し、同一の構成には同じ符号をつけ説明は省略する。
【００２７】
図４に示すように、本実施例の検査回路８では、疑似信号発生回路１８は、疑似のスキャナコード及び周波数コードの発生以外に、疑似の送信信号Ｔｘ及び３Ｄ駆動用クロック（３Ｄ  ＣＬＫ）の発生、疑似のＰｈａｓｅ  ＡとＰｈａｓｅ  Ｚの発生及び疑似の位置センサ信号の発生が可能となっており、信号に異常がある信号の場合には、疑似信号発生回路１８の出力に切り替えるようになっている。
【００２８】
すなわち、送信信号チェック部１３のチェック結果に基づいて疑似の送信信号Ｔｘ及び３Ｄ駆動用クロック（３Ｄ  ＣＬＫ）を発生させると共に切り替えスイッチ部３１を制御し、超音波観測装置本体５からの送信信号Ｔｘ及び３Ｄ駆動用クロック（３Ｄ  ＣＬＫ）に異常がある場合には、疑似の送信信号Ｔｘ及び３Ｄ駆動用クロック（３Ｄ  ＣＬＫ）を超音波内視鏡３に出力する。
【００２９】
同様に、エンコーダチェック部１４のチェック結果に基づいて疑似のＰｈａｓｅ  ＡとＰｈａｓｅ  Ｚを発生させると共に切り替えスイッチ部３２を制御し、超音波内視鏡３からのＰｈａｓｅ  ＡとＰｈａｓｅ  Ｚに異常がある場合には、疑似のＰｈａｓｅ  ＡとＰｈａｓｅ  Ｚを超音波観測装置本体５に出力する。
【００３０】
また、コードチェック部１５のチェック結果に基づいて疑似のスキャナコード及び周波数コードを発生させると共に切り替えスイッチ部１７を制御し、超音波内視鏡３からのスキャナコード及び周波数コードに異常がある場合には、疑似のスキャナコード及び周波数コードを超音波観測装置本体５に出力する。
【００３１】
さらに、位置センサ信号チェック部１９のチェック結果に基づいて疑似の位置センサ信号を発生させると共に切り替えスイッチ部３３を制御し、位置センサ信号に異常がある場合には、疑似の位置センサ信号を超音波観測装置本体５に出力する。
【００３２】
このように本実施例では、実施例１の効果に加え、超音波観測装置本体５あるいは超音波内視鏡３の一部に不具合が発生した場合においても、疑似の各信号を疑似信号発生回路１８より発生させ出力することで、継続して検査が実施できるので、より故障状況の細部分析が可能となる。
【００３３】
本発明は、上述した実施例に限定されるものではなく、本発明の要旨を変えない範囲において、種々の変更、改変等が可能である。
【図面の簡単な説明】
【００３４】
【図１】本発明の実施例１に係る超音波内視鏡装置の検査装置の接続状態を示すブロック図
【図２】図１の検査装置の検査回路を示すブロック図
【図３】図１の検査装置のＬＥＤ表示パネルの構成を示す図
【図４】本発明の実施例２に係る検査装置の検査回路を示すブロック図
【符号の説明】
【００３５】
１…検査装置
３ａ、３ｂ…超音波内視鏡
５ａ、５ｂ…超音波観測装置本体
８…検査回路
９…ＬＥＤ表示パネル
１１…電源チェック部
１２…電源発生部
１３…送信信号チェック部
１４…エンコーダチェック部
１５…コードチェック部
１８…疑似信号発生回路
１９…位置センサ信号チェック部
代理人    弁理士    伊藤  進
【図１】
2006191988.tif 000003
【図２】
2006191988.tif 000004
【図３】
2006191988.tif 000005
【図４】
2006191988.tif 000006